(57)【要約】【課題】  簡単な構成でありながら、通常の手動操作による開閉機能を確保しつつ、火災発生時に自動閉じ動作を行うことができる換気装置を提供する。【解決手段】  換気装置は、通気口１１ａが形成された本体１０と、本体１０にスライド可能に支持された作動板２０と、本体１０の室内側に配置されて作動板２０をスライド操作する操作部材３０と、形状記憶合バネ６０とを備えている。通常の環境温度では、作動板２０は操作部材３０により開閉される。火災により環境温度が異常レベルまで上昇した時には、形状記憶バネ６０が高温での記憶形状に戻ろうとして開き位置にある作動板２０に作用し、形状記憶バネ６０の弾性力により作動板２０を閉じ位置まで移動させる。操作部材３０と作動板２０は低融点材料で形成された連結ピン７０で連結されており、火災時に溶融ないしは軟化して作動板２０と操作部材３０の連結を解除するので、操作部材３０の抵抗を受けずに作動板２０は確実に閉じ動作することができる。【選択図】  図４
2018009773.tif 000002
【特許請求の範囲】
【請求項１】
ア．通気口が形成された主壁部を有する本体と、
イ．制御口が形成された主板部を有し、この主板部が上記本体の上記主壁部に接した状態を維持しながら、上記制御口が上記通気口と一致する開き位置と、上記制御口が上記通気口と不一致となる閉じ位置との間で、スライド可能な作動板と、
ウ．上記本体の室内側に、上記作動板のスライド方向にスライド可能に配置された操作部材と、
エ．上記操作部材を上記作動板に連結する連結部材と、
オ．上記本体に支持され、火災により温度が異常レベルまで上昇した時には、高温での記憶形状に戻ろうとしてその弾性力により上記作動板を付勢し、上記作動板を上記閉じ位置へと向かわせる形状記憶バネと、
を備え、
上記連結部材は低融点材料からなり、火災により温度が異常レベルまで上昇した時には、溶融するか上記形状記憶バネの力で分断可能な程度に軟化することにより、上記操作部材と上記作動板の連結を解除することを特徴とする換気装置。
【請求項２】
上記作動板はバネ受け部を有しており、
上記形状記憶バネは湾曲形状をなし、その一端が上記本体に固定された固定端となり、他端が自由端となっており、この自由端は上記バネ受け部と上記作動板のスライド方向に対峙しており、
温度が異常レベルまで上昇した時には、上記形状記憶バネはその湾曲形状の曲率を減じるように変形し、上記自由端が上記作動板の上記バネ受け部を押して上記作動板を上記閉じ位置に向かわせることを特徴とする請求項１に記載の換気装置。
【請求項３】
上記連結部材が、上記作動板と上記操作部材のスライド方向と直交する方向に延びる連結ピンからなり、上記作動板と上記操作部材に挿通されていることを特徴とする請求項２に記載の換気装置。
【請求項４】
上記本体および上記作動板が上記作動板のスライド方向に細長く形成され、上記操作部材が上記本体の長手方向の一端部に配置されており、
上記本体の主壁部には、上記通気口が上記本体の長手方向に等間隔をおいて多数形成され、
上記作動板の主板部には、上記制御口が上記本体の長手方向に上記通気口と同一ピッチで多数形成され、
上記作動板は、上記主板部と一体をなして室内側に突出する副板部を有し、この副板部の一端部には、上記連結ピンを挿通させる挿通穴と上記バネ受け部が形成されていることを特徴とする請求項３に記載の換気装置。
【請求項５】
上記操作部材による上記作動板の上記閉じ位置を第１閉じ位置とし、上記形状記憶バネによる上記作動板の閉じ位置を第２閉じ位置とし、上記作動板の上記開き位置から上記第１閉じ位置までの移動ストロークは、上記通気口の１．５ピッチであり、上記作動板の上記開き位置から上記第２閉じ位置までの移動ストロークは、上記通気口の０．５ピッチであることを特徴とする請求項４に記載の換気装置。
【請求項６】
上記本体はバネ係止部を有し、温度が異常レベルまで上昇して上記バネの自由端が変位した時に、この自由端を上記バネ係止部で係止することを特徴とする請求項３〜５のいずれかに記載の換気装置。
【請求項７】
ア．通気口が形成された主壁部を有する本体と、
イ．上記本体に固定されたカム部材と、
ウ．スライド可能かつ回動可能に支持され、上記スライドの過程で上記カム部材のカム作用により、上記主壁部から離間した開き位置と、上記主壁部に接近した閉じ位置との間で回動される作動板と、
エ．上記本体に上記作動板のスライド方向にスライド可能に支持されるとともに、上記作動板に、上記作動板の回動を許容するようにして連結されたスライダと、
オ．上記本体の室内側に、上記作動板のスライド方向にスライド可能に配置された操作部材と、
カ．上記操作部材を上記スライダに連結する連結部材と、
キ．上記本体に支持され、火災により温度が異常レベルまで上昇した時には、高温での記憶形状に戻ろうとしてその弾性力により上記スライダを付勢し、上記スライダを介して上記作動板をスライドさせることにより、上記カム部材のカム作用で上記作動板を上記閉じ位置へと向かわせる形状記憶バネと、
を備え、
上記連結部材は低融点材料からなり、火災により温度が異常レベルまで上昇した時には、溶融するか上記形状記憶バネの力で分断可能な程度に軟化することにより、上記操作部材と上記スライダの連結を解除することを特徴とする換気装置。
【請求項８】
ア．通気口が形成された主壁部を有する本体と、
イ．上記主壁部から離間した開き位置と、上記主壁部に接近した閉じ位置との間で、上記本体に回動可能に支持された作動板と、
ウ．上記本体にスライド可能に支持されたスライダと、
エ．上記スライダに支持され、上記スライダのスライド方向への移動に伴い、カム作用により上記作動板を開閉するカム部材と、
オ．上記本体の室内側に、上記スライダのスライド方向にスライド可能に配置された操作部材と、
カ．上記操作部材を上記スライダに連結する連結部材と、
キ．上記本体に支持され、火災により温度が異常レベルまで上昇した時には、高温での記憶形状に戻ろうとしてその弾性力により上記スライダを付勢し、上記スライダを介して上記カム部材を移動させることにより、上記作動板を上記閉じ位置へと向かわせる形状記憶バネと、
を備え、
上記連結部材は低融点材料からなり、火災により温度が異常レベルまで上昇した時には、溶融するか上記形状記憶バネの力で分断可能な程度に軟化することにより、上記操作部材と上記スライダの連結を解除することを特徴とする換気装置。
【請求項９】
上記連結部材が、上記スライダのスライド方向と直交する方向に延びる連結ピンからなり、上記スライダと上記操作部材に挿通されていることを特徴とする請求項７または８に記載の換気装置。
【請求項１０】
上記本体および上記作動板が上記スライダのスライド方向に細長く形成され、上記操作部材が上記本体の長手方向の一端部に配置されており、
上記本体の主壁部には、上記通気口が上記本体の長手方向に等間隔をおいて多数形成され、
上記スライダにはバネ受け部が形成され、
上記形状記憶バネは湾曲形状をなしており、その一端が上記本体に固定された固定端となり、他端が自由端となっており、この自由端は上記バネ受け部と上記本体の長手方向に対峙しており、
温度が異常レベルまで上昇した時には、上記形状記憶バネはその湾曲形状の曲率を減じるように変形し、上記自由端が上記スライダの上記バネ受け部を押すことにより、上記スライダおよび上記カム部材を介して上記作動板を上記閉じ位置へと向かわせることを特徴とする請求項９に記載の換気装置。
【発明の詳細な説明】
【技術分野】
【０００１】
本発明は、火事の時に自動的に遮断する機能を有する換気装置に関する。
【背景技術】
【０００２】
特許文献１、２に示すように、サッシ戸に装着される換気装置を例にとって説明する。このタイプの換気装置は、内部空間を有する細長い本体と、この本体内に長手方向にスライド可能に収容された細長い作動板と、本体の室内側に配置された操作部材とを備えている。本体は、通気口が形成された主壁部を有している。操作部材の手動操作により、作動板は、通気口を閉じる位置（閉じ位置）と通気口を開く位置（開き位置）との間で、スライドするかスライドを伴って回動する。
【０００３】
特許文献１，２の換気装置において、火災発生時には室外から室内へ、または室内から室外への延焼を防ぐために通気口を閉じるのが好ましいが、緊迫した状況では換気装置の状態を確認する余裕がなく、通気口を閉じるのが困難である。
【０００４】
文献３の図２に開示された防火ダンパ（換気装置）では、通気口を有する筒状本体に２枚のダンパ羽根（作動板）が回動可能に支持されている。２枚のダンパ羽根は、防火ヒューズによりバネの力に抗して合掌合わせ状態を維持されており、これにより通常状態では通気口は開かれている。火事が発生して環境温度が異常レベルまで上昇した時には、防火ヒューズが溶融し、２枚のダンパ羽根は、バネの力で互いに離間して通気口を閉じる。
【０００５】
文献３の図３に開示された防火ダンパ（換気装置）では、ダンパ羽根は、バイアスバネにより閉じ方向に付勢されているが、形状記憶合金製のバネにより開き状態を維持されている。火事が発生して環境温度が異常レベルまで上昇した時には、形状記憶合金製のバネが伸びるため、防火ダンパはバイアスバネの力で自動的に閉じる。
【０００６】
文献４に開示された防火ダンパでは、本体に細長い作動板がその長手方向にスライド可能に支持されている。作動板の一端は、異常高温時に溶融する連結部材を介して本体に連結されている。作動板の他端にはバイアスバネが連結されている。通常時には作動板は開き位置にあるが、火災時に環境温度が異常高温になると、連結部材が溶融し、作動板はバイアスバネの力で閉じられる。
【０００７】
文献５の換気装置では、通気口を有する本体に作動板がスライド可能に支持されており、２組の形状記憶合金製のバネとバイアススプリングにより、環境温度が低温になった時および高温になった時に、作動板が換気口を閉じるようになっている。この換気装置は、防火が目的ではないが、火災発生により環境温度が異常高温になった時に自動的に換気口を閉じる。
【先行技術文献】
【特許文献】
【０００８】
【特許文献１】特開平１０−１１５１５６号公報
【特許文献２】特開平１１−６２４２３号公報
【特許文献３】実用新案登録３０１９３９５号公報
【特許文献４】特開２００２−７０２６４号公報
【特許文献５】実開昭６３−１８５０４４号公報
【発明の概要】
【発明が解決しようとする課題】
【０００９】
特許文献３〜５に示す換気装置は、異常高温の時に溶融する部材または形状記憶バネを利用して火事の時に自動的に通気口を閉じ、延焼を防ぐことができるものの、手動による開閉操作を行うことができない。
【課題を解決するための手段】
【００１０】
本発明は上記課題を解決したもので、換気装置において、
ア．通気口が形成された主壁部を有する本体と、
イ．制御口が形成された主板部を有し、この主板部が上記本体の上記主壁部に接した状態を維持しながら、上記制御口が上記通気口と一致する開き位置と、上記制御口が上記通気口と不一致となる閉じ位置との間で、スライド可能な作動板と、
ウ．上記本体の室内側に、上記作動板のスライド方向にスライド可能に配置された操作部材と、
エ．上記操作部材を上記作動板に連結する連結部材と、
オ．上記本体に支持され、火災により温度が異常レベルまで上昇した時には、高温での記憶形状に戻ろうとしてその弾性力により上記作動板を付勢し、上記作動板を上記閉じ位置へと向かわせる形状記憶バネと、
を備え、上記連結部材は低融点材料からなり、火災により温度が異常レベルまで上昇した時には、溶融するか上記形状記憶バネの力で分断可能な程度に軟化することにより、上記操作部材と上記作動板の連結を解除することを特徴とする。
【００１１】
上記構成によれば、通常時は操作部材の手動操作により開閉調節を行うことができ、火事の際には形状記憶バネの弾性力により作動板を自動的に閉じ動作させるので、通気口を介しての延焼を防止できる。しかも、操作部材と作動板を低融点材料の連結部材で連結したので、火事の際には操作部材と作動板の連結を解除でき、操作部材による抵抗を受けずに確実に作動板を閉じ動作させることができる。特に操作部材が開き位置で本体にロックされる構造を採用している場合であっても、作動板を確実に閉じ動作させることができる。
【００１２】
好ましくは、上記作動板はバネ受け部を有しており、上記形状記憶バネは湾曲形状をなし、その一端が上記本体に固定された固定端となり、他端が自由端となっており、この自由端は上記バネ受け部と上記作動板のスライド方向に対峙しており、温度が異常レベルまで上昇した時には、上記形状記憶バネはその湾曲形状の曲率を減じるように変形し、上記自由端が上記作動板の上記バネ受け部を押して上記作動板を上記閉じ位置に向かわせる。
上記構成によれば、通常時には形状記憶バネが作動板に全く作用せず、操作部材による開閉操作を円滑に行なうことができる。さらに、火災時に温度が一時的に低下した時でも一旦閉じた作動板が戻ることがなく、新鮮な空気流入による室内燃焼の激化等の不都合も防止できる。
【００１３】
好ましくは、上記連結部材が、上記作動板と上記操作部材のスライド方向と直交する方向に延びる連結ピンからなり、上記作動板と上記操作部材に挿通されている。
上記構成によれば、連結部材を簡単な構造にできるとともに、火災時の連結解除も確実に実行できる。
【００１４】
好ましくは、上記本体および上記作動板が上記作動板のスライド方向に細長く形成され、上記操作部材が上記本体の長手方向の一端部に配置されており、上記本体の主壁部には、上記通気口が上記本体の長手方向に等間隔をおいて多数形成され、上記作動板の主板部には、上記制御口が上記本体の長手方向に上記通気口と同一ピッチで多数形成され、上記作動板は、上記主板部と一体をなして室内側に突出する副板部を有し、この副板部の一端部には、上記連結ピンを挿通させる挿通穴と上記バネ受け部が形成されている。
上記構成によれば、作動板の副板部にバネ受け部と連結ピンのための挿通穴を形成するので、構成を簡略化することができる。
【００１５】
好ましくは、上記操作部材による上記作動板の上記閉じ位置を第１閉じ位置とし、上記形状記憶バネによる上記作動板の閉じ位置を第２閉じ位置とし、上記作動板の上記開き位置から上記第１閉じ位置までの移動ストロークは、上記通気口の１．５ピッチであり、上記作動板の上記開き位置から上記第２閉じ位置までの移動ストロークは、上記通気口の０．５ピッチである。
上記構成によれば、操作部材による作動板の閉じ動作のストロークに比べて形状記憶バネによる作動板の閉じ動作のストロークを小さくしたので、操作部材の開閉操作性を確保しつつ、火事の時に作動板をより一層確実に閉じることができる。
【００１６】
好ましくは、上記本体はバネ係止部を有し、温度が異常レベルまで上昇して上記バネの自由端が変位した時に、この自由端を上記バネ係止部で係止する。
上記構成によれば、火災発生時に形状記憶バネの弾性力により作動板を正確に設定された閉じ位置に移動させることができる。
【００１７】
本発明の他の態様をなす換気装置は、
ア．通気口が形成された主壁部を有する本体と、
イ．上記本体に固定されたカム部材と、
ウ．スライド可能かつ回動可能に支持され、上記スライドの過程で上記カム部材のカム作用により、上記主壁部から離間した開き位置と、上記主壁部に接近した閉じ位置との間で回動される作動板と、
エ．上記本体に上記作動板のスライド方向にスライド可能に支持されるとともに、上記作動板に、上記作動板の回動を許容するようにして連結されたスライダと、
オ．上記本体の室内側に、上記作動板のスライド方向にスライド可能に配置された操作部材と、
カ．上記操作部材を上記スライダに連結する連結部材と、
キ．上記本体に支持され、火災により温度が異常レベルまで上昇した時には、高温での記憶形状に戻ろうとしてその弾性力により上記スライダを付勢し、上記スライダを介して上記作動板をスライドさせることにより、上記カム部材のカム作用で上記作動板を上記閉じ位置へと向かわせる形状記憶バネと、
を備え、上記連結部材は低融点材料からなり、火災により温度が異常レベルまで上昇した時には、溶融するか上記形状記憶バネの力で分断可能な程度に軟化することにより、上記操作部材と上記スライダの連結を解除することを特徴とする。
上記構成によれば、本体に固定されたカム部材により作動板を開閉するタイプの換気装置でも、通常時は操作部材の手動操作により開閉調節を行うことができ、火事の際には、形状記憶バネの弾性力により作動板を自動的に閉じ動作させることができる。しかも、操作部材による抵抗を受けずに確実に作動板を閉じ動作させることができる。
【００１８】
本発明の他の態様をなす換気装置は、
ア．通気口が形成された主壁部を有する本体と、
イ．上記主壁部から離間した開き位置と、上記主壁部に接近した閉じ位置との間で、上記本体に回動可能に支持された作動板と、
ウ．上記本体にスライド可能に支持されたスライダと、
エ．上記スライダに支持され、上記スライダのスライド方向への移動に伴い、カム作用により上記作動板を開閉するカム部材と、
オ．上記本体の室内側に、上記スライダのスライド方向にスライド可能に配置された操作部材と、
カ．上記操作部材を上記スライダに連結する連結部材と、
キ．上記本体に支持され、火災により温度が異常レベルまで上昇した時には、高温での記憶形状に戻ろうとしてその弾性力により上記スライダを付勢し、上記スライダを介して上記カム部材を移動させることにより、上記作動板を上記閉じ位置へと向かわせる形状記憶バネと、
を備え、上記連結部材は低融点材料からなり、火災により温度が異常レベルまで上昇した時には、溶融するか上記形状記憶バネの力で分断可能な程度に軟化することにより、上記操作部材と上記スライダの連結を解除することを特徴とする。
上記構成によれば、本体に移動可能に設けられたカム部材により作動板を開閉するタイプの換気装置でも、通常時は操作部材の手動操作により開閉調節を行うことができ、火事の際には、形状記憶バネの弾性力により作動板を自動的に閉じ動作させることができる。しかも、操作部材による抵抗を受けずに確実に作動板を閉じ動作させることができる。
【００１９】
好ましくは、上記連結部材が、上記スライダのスライド方向と直交する方向に延びる連結ピンからなり、上記スライダと上記操作部材に挿通されている。
【００２０】
好ましくは、上記本体および上記作動板が上記スライダのスライド方向に細長く形成され、上記操作部材が上記本体の長手方向の一端部に配置されており、上記本体の主壁部には、上記通気口が上記本体の長手方向に等間隔をおいて多数形成され、上記スライダにはバネ受け部が形成され、上記形状記憶バネは湾曲形状をなしており、その一端が上記本体に固定された固定端となり、他端が自由端となっており、この自由端は上記バネ受け部と上記本体の長手方向に対峙しており、温度が異常レベルまで上昇した時には、上記形状記憶バネはその湾曲形状の曲率を減じるように変形し、上記自由端が上記スライダの上記バネ受け部を押すことにより、上記スライダおよび上記カム部材を介して上記作動板を上記閉じ位置へと向かわせる。
【発明の効果】
【００２１】
本発明によれば、通常の手動操作による開閉機能を確保しつつ、火災発生時には操作部材の拘束を受けることなく確実に自動閉じ動作を行うことができる。
【図面の簡単な説明】
【００２２】
【図１】本発明の第１実施形態をなす換気装置の断面図である。
【図２】図１中II-II矢視断面図である。
【図３】図１中III-III矢視断面図であり、本体の輪郭を想像線で示す。
【図４】同換気装置の要部の斜視図である。
【図５】同換気装置の操作部材の斜視図である。
【図６】同操作部材の側面図である。
【図７】本発明の第２実施形態をなす換気装置を、本体を構成する型材を一部省略して示す断面図である。
【図８】同第２実施形態の換気装置に用いられるカム部材を示す平面図である。
【図９】同第２実施形態の換気装置の要部を示す平面図である。
【図１０】同第２実施形態の換気装置の要部を、室外側から見た斜視図である。
【図１１】本発明の第３実施形態をなす換気装置の要部を示す平面図である。
【発明を実施するための形態】
【００２３】
以下、本発明の第１実施形態をなす換気装置を、図１〜図６を参照しながら説明する。
本実施形態の換気装置は、左右に細長く形成されサッシ戸の上框として用いられる。図１、図２に示すように、換気装置は、本体１０と、作動板２０と、操作部材３０とを基本構成要素として備えている。
【００２４】
図１に示すように、本実施形態の本体１０は、アルミ合金等の押出型材からなる第１〜第３の型材１０ａ、１０ｂ、１０ｃを有している。
室外側の第１型材１０ａは、垂直をなして室外に臨む室外側壁部１１（主壁部）と、この室外側壁部１１から室内に向かってほぼ水平に突出する水平壁部１２と、この水平壁部１２の室内側の縁から垂直に起立する中間壁部１３とを有している。
【００２５】
第１型材１０ａの中間壁部１３の上下端部に、室内側の第２型材１０ｂが連結されている。第２型材１０ｂは、垂直をなして室内に臨む室内側壁部１４を有している。
第１型材１０ａと第２型材１０ｂは、下方に突出する垂下壁をそれぞれ有しており、これら垂下壁により、ガラス板が嵌め込まれるガラス板受け溝１５が形成されている。
【００２６】
第３型材１０ｃは断面Ｕ字形状をなし、その両端部が第１型材１０ａに連結されている。第３型材１０ｃは、図示しない窓枠の上レールを受けるレール受け溝１６を形成している。上記３つの型材１０ａ〜１０ｃにより形成された内部空間が通気路１７となる。
【００２７】
図１、図２に示すように、上記室外側壁部１１には、縦長の多数の通気口１１ａが長手方向に等ピッチで形成されており、中間壁１３および室内側壁部１４にも縦長の多数の通気口１３ａ、１４ａがそれぞれ等ピッチで形成されている。
【００２８】
上記室外側壁部１１の通気口１１ａは作動板２０により開閉されるようになっている。作動板２０もアルミ合金製の押出型材からなり、垂直をなす主板部２１と、主板部２１と、この主板部の下縁から室内方向に向かって水平に突出する幅の狭い副板部２２とを有している。主板部２１が本体１０の室外側壁部１１に接し、副板部２２が水平壁部１２に形成された長手方向に延びる隆起部１２ａに乗った状態で、作動板２０は本体１０に長手方向にスライド可能に支持されている。
【００２９】
上記作動板２０の主板部２１には、縦長の多数の制御口２１ａが長手方向に等ピッチで形成されている。これら制御口２１ａは、上記室外側壁部１１の通気口１１ａとピッチが等しく、好ましくは通気口１１ａと同形状をなしている。
【００３０】
作動板２０が開き位置にある時、制御口２１ａが通気口１１ａと一致し、通気口１１ａ（ひいては通気路１７）が開かれる。また、作動板２０が閉じ位置にある時、制御口２１ａが通気口１１ａと不一致となり、通気口１１ａ（ひいては通気路１７）が閉じられる。
【００３１】
図２に示すように、本体１０には、長手方向に間隔をおいて２，３カ所に樹脂製の付勢部材４０が配置されている。この付勢部材４０は、一対の係合部４１を有し、この係合部４１が作動板２０の制御口２１ａに係合されることにより、作動板２０に取り付けられている。付勢部材４０は室内側に円弧状の弾性部４２を有している。この弾性部４２が弾性変形した状態で水平壁部１２の段差１２ｂに当たることにより、作動板２０は室外側壁部１１に向かって押し付けられている。
【００３２】
図２に示すように、室内側壁部１４の一端部（室内側から見て右端部）には上記操作部材３０のための支持枠５０が取り付けられている。具体的には、室内側壁部１４の右端部には、左右方向に延びてその右端に達する切欠１４ｂが形成されている。支持枠５０は、この切欠１４ｂを塞ぐようにして室内側壁部１４に取り付けられている。図１に示すように、支持枠５０の上下縁部は、室内側壁部１４の上下端に形成された係合溝１４ｃ、１４ｄに嵌められている。
支持枠５０には、左右に細長い操作口５１が形成されている。この操作口５１の左右両端５１ｘ，５１ｙは、後述するように操作部材３０をロックする役割を担う。
【００３３】
なお、室内側壁部１４の右端部を除く領域には、フィルタ（図示しない）とフィルタ押さえ５９（図２にのみ示す）が配されている。このフィルタ押さえ５９の上下縁部も、係合溝１４ｃ、１４ｄに嵌められている。
【００３４】
図２、図５、図６に示すように、上記操作部材３０は、室内側に位置する第１部材３１と室外側に位置する第２部材３２とを有している。
第１部材３１は、上記支持枠５０の操作口５１より面積が大きく支持枠５０の裏側に配置されたカバー板部３１ａと、このカバー板部３１ａの中央部から室内方向に突出するつまみ部３１ｂと、カバー板部３１ａから室外方向に向かって突出する左右一対の係止片３１ｃと、カバー板部３１ａの室内側の面の左右端部に形成された係止凸部３１ｘ、３１ｙとを有している。
【００３５】
第２部材３２は、上記第１部材３１のカバー板部３１ａに対向する裏板部３２ａと、この裏板部３２ａの中央に形成されたバネ受け部３２ｂと、このバネ受け部３２ｂから室外に向かって延びる延出部３２ｃとを有している。
【００３６】
図２に示すように、第２部材３２の裏板部３２ａにはバネ受け部３２ｂの左右において一対の係合穴３２ｄが形成されており、これら係合穴３２ｄに第１部材３１の一対の係止片３１ｃが挿入係止されることにより、第１部材３１と第２部材３２が連結されている。なお、第１部材３１と第２部材３２の室内外方向の相対移動は、所定範囲内において可能である。
図１、図２に示すように、第１部材３１のつまみ部３１ｂと第２部材３２のバネ受け部３２ｂとの間には圧縮コイルバネ３３が介在されている。この圧縮コイルバネ３３により第１部材３１は室内方向に向かって付勢されている。
【００３７】
上記操作部材３０は、第１部材３１のつまみ部３１ｂを上記支持枠５０の操作口５１に挿入することにより、左右方向（本体１０の長手方向）にスライド可能に支持されている。
操作部材３０の第２部材３２の延出部３２ｃの室外側端部が、後述するように作動板２０の副板部２２に連結されており、これにより、操作部材３０のスライド操作に伴い、作動板２０が開き位置と閉じ位置との間でスライドするようになっている。
【００３８】
図２に示すように、操作部材３０が作動板２０の開き位置に対応する開き操作位置にある時、操作部材３０のつまみ部３１ｂの右端面が、支持枠５０の操作口５１の右端５１ｘに当たり、左側の係止凸部３１ｙが操作口５１の左端５１ｙに係止され、これにより、操作部材３０は開き操作位置で正確に位置決めされるとともにロックされる。
【００３９】
操作部材３０を閉じ操作する場合には、まず、つまみ部３１ｂを圧縮コイルバネ３３に抗して押し、係止凸部３１ｙを操作口５１の左端５１ｙから外すことにより、開き操作位置でのロック状態を解除する。それから、操作部材３０を左方向にスライドさせる。
【００４０】
操作部材３０が作動板２０の閉じ位置（開き位置から通気口１１ａの１，５ピッチ分離れた第１閉じ位置）に対応する閉じ操作位置に達すると、つまみ部３１ｂの左端面が操作口５１の左端５１ｙに当たり、右側の係止凸部３１ｘが操作口５１の右端５１ｘに係止され、これにより、操作部材３０は閉じ操作位置で正確に位置決めされるとともにロックされる。
閉じ操作位置にある操作部材３０は、つまみ部３１ｂを押すことによりロック解除され、開き操作することができる。
【００４１】
次に、本発明の特徴について詳述する。
換気装置は図２〜図４に示す形状記憶バネ６０（形状記憶合金製のバネ）を備えている。この形状記憶バネ６０は、通常温度では略逆Ｕ字形をなして湾曲しているが、火災時に熱を受けて異常高温（例えば８０°Ｃ以上）になると一直線になるように形状記憶処理されている。
【００４２】
形状記憶バネ６０の一端６１は、支持部材６５の右端近傍の固定孔６５ａに挿入されて、固定端となっている。なお、支持部材６５は本体１０の水平壁部１２に固定され、本体１０の一部を構成している。
形状記憶バネ６０の他端６２は支持部材６５に形成された切欠６５ｂを通って支持部材６５の下方に配置されているが、支持部材６５に拘束されず、自由端となっている。後述するように、切欠６５ｂの左側の端６５ｘはバネ係止部として提供される。
形状記憶バネ６０は室外側壁部１１とほぼ平行をなして起立しており、その固定端６１と自由端６２は、本体１０の長手方向に離れている。
【００４３】
図２〜図４に示すように、上記作動板２０の副板部２２の右端部は切り欠かれており、この副板部２２の右端２２ｘは、後述するようにバネ受け部として提供される。
【００４４】
操作部材３０の延出部３２ｃの先端部と作動板２０の副板部２２は上下方向に重なっており、２本の連結ピン７０（連結部材）により連結されている。この連結ピン７０は作動板２０のスライド方向と直交して垂直に起立し延出部３２ｃと副板部２２の挿通穴３２ｈ、２２ｈを挿通している。
上記連結ピン７０は、融点が約８０°Ｃの低融点金属（低融点材料）からなる。
【００４５】
上記構成をなす換気装置において、通常使用状態では、前述したように操作部材３０の操作により作動板２０を左右方向にスライドさせて、通気口１１aを開閉する。
上記作動板２０が開き位置にある時、形状記憶バネ６０の自由端６２は作動板２０のバネ受け部２２ｘから本体１０の長手方向に離れているか、接していてもバネ受け部２２ｘに作用しない。
【００４６】
上記作動板２０が開き位置にある状態で火事が発生し、換気装置の環境温度が異常なレベル（例えば８０°Ｃ）に達すると、形状記憶バネ６０が高温の記憶形状（真直形状）に戻ろうとし、湾曲形状の曲率半径が増大し、自由端６２が左方向に移動する。その結果、自由端６２が作動板２０のバネ受け部２２ｘに当たり、形状記憶バネ６０の弾性力により作動板２０が閉じ方向に付勢される。この時、連結ピン７０が溶融して作動板２０と操作部材３０の連結状態が解除されるため、作動板２０は開き操作位置でロックされている操作部材３０の拘束を受けずに、確実に閉じ方向に移動することができる。
【００４７】
形状記憶バネ６０の動作時に、自由端６２が支持部材６５のバネ係止部６５ｘに当たるため、作動板２０は開き位置から０．５ピッチ離れた第２閉じ位置で停止する。この第２閉じ位置で、作動板２０の制御口２１ａと室外側壁部１１の通気口１１ａが不一致となり通気口１１aが閉じられる。その結果、延焼や、室内への新鮮な空気の流入による室内の燃焼激化を防止することができる。
【００４８】
作動板２０にはバイアスバネが連結されておらず、上記形状記憶バネ６０は異常高温で一旦延びると元に復帰しないので、一時的に換気装置の環境温度が低下しても、上記作動板２０は第２閉じ位置のまま維持される。その結果、環境温度が一時低下しても作動板２０が開き位置に戻ることはなく、新鮮な空気が室内に流入して室内の燃焼激化を招くことはない。
【００４９】
なお、低温時に形状記憶バネ６０が元の形状に戻るようにしてもよい。この場合、火災発生後に一時的に環境温度が低下しても自由端６２が作動板２０のバネ受け部２２ｘから離れるだけであり、作動板２０の閉じ状態を維持することができる。
【００５０】
本実施形態では、通気口１１ａのピッチを、一般的な換気装置より短くし、火災発生時に形状記憶バネ６０の力で作動板２０を閉じる時の移動ストロークを短くした。これにより、比較的小型の形状記憶バネ６０で、作動板２０の閉じ動作を実行することができる。手動操作の場合には、移動ストロークが短いとユーザーが開閉操作した時に確実に開き動作または閉じ動作をしたか不安に感じるので、形状記憶バネ６０による閉じ動作ストロークより長くした。
【００５１】
次に、本発明の他の実施形態について説明する。これら実施形態において先行する実施形態に対応する構成部については、同番号または類似番号を付してその詳細な説明を省略する。
【００５２】
図７〜図１０には本発明の第２実施形態をなす換気装置が示されている。この換気装置は第１実施形態と同様にサッシ戸に組み込まれる上框として用いられる。
本体１０’は複数の型材を組み付けることにより、内部空間（通気路）を有するように構成されているが、図７では室内側の型材１０ｄのみを示し、他の型材を省略している。
【００５３】
型材１０ｄは、室内側壁部１８（主壁部）とこの室内側壁部１８の下端から室外方向に略水平に突出する水平壁部１９とを有している。室内側壁部１８には、第１実施形態の通気口１１ａと同様の多数の通気口（図示しない）が形成されている。室内側壁部１８の上端には軸受部１８ａが形成されている。
【００５４】
作動板２５は、本体１０’の長手方向に沿って細長く形成され、上記本体１０’内に収容されている。作動板２５の上縁部に形成された軸部２５ａが本体１０’の軸受部１８ａに嵌ることにより、作動板２５は本体１０’の長手方向にスライド可能かつ回動可能に支持されている。
【００５５】
本体１０’には、図８に示すカム部材８０が本体１０’の長手方向に間隔をおいて複数固定されている。カム部材８０は室内側壁部１８に対して傾斜する一対の傾斜面８１、８２を有している。これら傾斜面８１、８２は、左方向（作動板２５の閉じ動作方向）に向かうにしたがって室内側壁部１８に近づくように傾斜している。
【００５６】
作動板２５の下縁には、上記カム部材８０に対応して作動板２５の長手方向に離間した一対の突起２５ａ，２５ｂが形成されている。作動板２５が本体１０’の長手方向にスライドする過程で、上記カム部材８０と突起２５ａ，２５ｂによるカム作用により、作動板２５は、室内側壁部１８から離間した開き位置と、室内側壁部１８に接近した閉じ位置との間で回動する。より具体的に説明すると、図８に示すように作動板２５が開き位置にある状態で作動板２５が左方向にスライドすると、突起２５ａと傾斜面８１のカム作用により、作動板２５が室内側壁部１８に近づき、閉じ位置に至る。作動板２５が閉じ位置にある状態で作動板２５が右方向にスライドすると、突起２５ｂと傾斜面８２のカム作用により、作動板２５が室内側壁部１８から離れ、開き位置に至る。
【００５７】
次に、本実施形態の特徴部について説明する。本体１０’の水平壁部１９の一端部（室内側から見て右端部）には、本体１０’の一部を構成する支持部材６６が固定されている。この支持部材６６は、本体１０’の長手方向に直線的に延びるガイド部６６ａを有している。
【００５８】
操作部材３０は本体１０’の長手方向にスライド可能なスライダ９０を介して作動板２５に連結されている。
操作部材３０において、その第２部材３２の延出部３２ｃの先端部には、本体１０’の長手方向に水平壁部１９に沿って延びる連結部３２ｘが連なっている。
スライダ９０は、支持部材６６のガイド部６６ａにスライド可能に支持されたスライド部９１と、第１連結部９２と、第２連結部９３とを一体に有している。第１連結部９２は操作部材３０の連結部３２ｘに重なっており、これら第１連結部９２と連結部３２ｘに形成された挿通穴に挿通される連結ピン７０（連結部材）により、操作部材３０とスライダ９０が連結されている。
【００５９】
スライダ９０の第２連結部９３はＬ字状をなし、垂直部とこの垂直部の上端から室内側壁部１８に向かって延びる水平部とを有しており、この水平部には室内外方向に延びる係合スリット９３ａが形成されている。この係合スリット９３ａに作動板２５の長手方向端部の下縁から突出する係合凸部２５ｃ（図１０にのみ示す）が入り込むことにより、スライダ９０は作動板２５の回動を許容した状態で作動板２５に連結されている。
【００６０】
上記支持部材６６のガイド部６６ａには、形状記憶バネ６０の固定端６１が固定されており、この形状記憶バネ６０の自由端６２は、スライダ９０のスライド部９１に形成されたスリット９１ａに入り込んでいる。このスリット９１ａの奥端はバネ受け部９１ｘとして提供される。
【００６１】
上記構成をなす換気装置の作用を説明する。通常使用状態において、スライダ９０が作動板２５の開き位置に対応する位置にある時、形状記憶バネ６０の自由端６２は、スライダ９０のバネ受け部９１ｘから離れているか、接していても形状記憶バネ６０の力は作用しない。
【００６２】
操作部材３０を本体１０’の長手方向にスライド操作すると、この操作部材３０にスライダ９０が追随し、このスライダ９０に連結された作動板２５がスライドし、このスライドの過程でカム部材８０のカム作用により、作動板２５が回動し、室内側壁部１８の通気口を開閉する。
【００６３】
上記作動板２５が開き位置にある状態で火事が発生し、換気装置の環境温度が異常なレベル（例えば８０°Ｃ）に達すると、形状記憶バネ６０が高温の記憶形状（真直形状）に戻ろうとして、自由端６２が室内側から見て左方向に移動し、スライダ９０のバネ受け部９１ｘを押す。その結果、スライダ９０が同方向にスライドし、これに追随して作動板２５がスライドするため、操作部材３０の手動操作による閉じ動作と同様に、作動板２５はカム部材８０の作用で回動して室内側壁部１８の通気口を閉じる。この形状記憶バネ６０の動作時に、連結ピン７０が異常高温により溶融して操作部材３０とスライダ９０の連結を解除するので、スライダ９０は開き操作位置でロックされた操作部材３０に拘束されずに、形状記憶バネ６０の力で確実にスライドすることができる。
【００６４】
図１１に示す第３実施形態は、第２実施形態と構成が似ているが、下記の点が異なる。
作動板２５が本体１０’に対してスライド不能で回動のみ可能に支持されている。その代わりに、カム部材８０’が本体１０’の長手方向に移動するようになっている。以下、詳述する。
【００６５】
本実施形態で用いられるスライダ９０’は、支持部材６６のガイド部６６ａにスライド可能に支持されたスライド部９１（以下、第１スライド部と言う）と、本体１０’の長手方向に沿って延びるとともに本体１０’の水平壁部１９（図１０参照）にスライド可能に支持された他のスライダ部９４（以下、第２スライド部と言う）と、を一体に有している。
【００６６】
第２スライダ部９４には例えば２つのカム部材８０’が長手方向に離れて支持されている。カム部材８０’はスライダ部９４に固定されるか一体に形成されている。カム部材８０’は第２実施形態のカム部材８０と同様に構成されているが、傾斜面８１’，８２’の向きが逆になっている。
【００６７】
第２スライダ部９４は、第１スライダ９１の近傍において、連結ピン７０により、操作部材３０の連結部３２ｘに連結されている。
操作部材３０、形状記憶バネ６０の配置は第２実施形態と同様である。
【００６８】
上記構成をなす換気装置の作用を説明する。この作用説明において第２実施例を示す図７〜図１０を必要に応じて援用する。操作部材３０をスライド操作すると、操作部材３０に連結されたスライダ９０’がスライドし、このスライダ９０’に支持されたカム部材８０’が本体１０’の長手方向に移動する。この移動の過程で、カム部材８０’のカム作用（具体的には傾斜面８１’、８２’と作動板２５の突起２５ａ，２５ｂのカム作用）により作動板２５が回動し、室内側壁部１８の通気口を開閉する。
【００６９】
上記作動板２５が開き位置にある状態で火事が発生し、換気装置の環境温度が異常なレベルに達すると、形状記憶バネ６０の自由端６２が図１１中左方向に移動し、この自由端６２がスライダ９０’のバネ受け部９１ｘを押すため、スライダ９０’が左方向にスライドし、これに追随してカム部材８０’が左方向に移動する。その結果、作動板２５はカム部材８０のカム作用（具体的には、傾斜面８２’と作動板２５の突起２５ｂのカム作用）により回動して室内側壁部２８の通気口を閉じる。この形状記憶バネ６０の動作時に、連結ピン７０が異常高温により溶融して操作部材３０とスライダ９０’の連結を解除するので、スライダ９０’は開き操作位置でロックされた操作部材３０に拘束されずに、形状記憶バネ６０の力で確実にスライドすることができる。
【００７０】
本発明は上記実施形態に制約されず、種々の形態を採用可能である。
上記実施形態の換気装置はサッシ戸の上框として機能するいわゆる框一体型であるが、框と別体をなし框に沿って設置される換気装置であってもよい。
さらに本発明は、内部空間を有さない換気装置にも適用することができる。
【００７１】
上記実施形態では、形状記憶バネは線状のＵ字形状（湾曲形状）をなしていて、異常高温時に曲率が小さくなることにより閉じ動作を行ったが、異常高温時に曲率が大きくなって自由端が固定端に近づくことにより、閉じ動作を行ってもよい。さらに形状記憶バネの形状は、板バネ状であってもよいし、圧縮コイルバネ、引張コイルバネ形状であってもよい。コイルスプリングを用いる場合、作動板またはスライダに接続する必要があるが、形状記憶合金の動作温度より低い場合には弾性力が非常に弱いので通常の開閉操作に影響は殆どない。
【００７２】
操作部材を閉じ操作位置と開き操作位置でロックする手段は、上記実施形態に制約されず、種々の形態を採用可能である。
操作部材が閉じ操作位置と開き操作位置でロックされない換気装置にも本発明を適用することができる。火災時の閉じ動作時における操作部材の抵抗を無くすことができるからである。
【００７３】
操作部材と作動板またはスライダを連結する連結部材はピン形状でなくてもよい。またこの連結部材の融点は形状記憶バネの動作温度より高くても低くてもよい。連結部材の融点が形状記憶バネの動作温度より高い場合には、形状記憶バネの動作時に十分軟化しており形状記憶バネの弾性力により分断可能である。
【産業上の利用可能性】
【００７４】
本発明は、防炎機能を有する換気装置に適用できる。
【符号の説明】
【００７５】
１０，１０’  本体
１１  室外側壁部（主壁部）
１１ａ  通気口
１８  室内側壁部（主壁部）
２０，２５  作動板
２１  主板部
２１ａ  制御口
２２  副板部
２３ｘ  バネ受け部
２５  作動板
３０  操作部材
６０  形状記憶合金製のバネ
６１  固定端
６２  自由端
６５ｘ  バネ係止部
７０  連結ピン（連結部材）
８０，８０’  カム部材
９１ｘ  バネ受け部
【図１】
2018009773.tif 000003
【図２】
2018009773.tif 000004
【図３】
2018009773.tif 000005
【図４】
2018009773.tif 000006
【図５】
2018009773.tif 000007
【図６】
2018009773.tif 000008
【図７】
2018009773.tif 000009
【図８】
2018009773.tif 000010
【図９】
2018009773.tif 000011
【図１０】
2018009773.tif 000012
【図１１】
2018009773.tif 000013